(57)【要約】  本発明は、内視鏡操作部等の突設部位をより簡単に洗浄することができる内視鏡用洗浄具を提供することを目的とし、そのために、本発明の内視鏡用洗浄具は、内視鏡（１）に設けられた湾曲操作部材（３４，３５，３６）に外嵌可能な寸法に形成されている筒状の本体（２１）と、本体の内周面から径方向の内側に向けて突出するように配置された洗浄部材（２２）とを備える。
2018070104.tif 000002
【特許請求の範囲】
【請求項１】
内視鏡に設けられた湾曲操作部材に外嵌可能な寸法に形成されている筒状の本体と、  上記本体の内周面から径方向の内側に向けて突出するように配置された洗浄部材と、  を備えたことを特徴とする内視鏡用洗浄具。
【請求項２】
上記洗浄部材は、上記本体の中心軸周りに沿って複数並設されていることを特徴とする請求項１に記載の内視鏡用洗浄具。
【請求項３】
上記洗浄部材は、上記本体の軸方向に沿って複数並設されていることを特徴とする請求項１に記載の内視鏡用洗浄具。
【請求項４】
上記洗浄部材は、複数のブラシにより形成されていることを特徴とする請求項１に記載の内視鏡用洗浄具。
【請求項５】
上記洗浄部材は、複数のスポンジにより形成されていることを特徴とする請求項１に記載の内視鏡用洗浄具。
【請求項６】
上記洗浄部材は、上記本体の径方向に沿って突出していることを特徴とする請求項１に記載の内視鏡用洗浄具。
【請求項７】
上記洗浄部材は、リング状に形成されたスポンジであることを特徴とする請求項１に記載の内視鏡用洗浄具。
【請求項８】
上記本体は、上記軸方向の一端面が閉塞されていることを特徴とする請求項１に記載の内視鏡用洗浄具。
【請求項９】
上記本体において閉塞された一端面の内面には、他端に向けて突出するように配置されている第２の洗浄部材を、さらに具備することを特徴とする請求項８に記載の内視鏡用洗浄具。
【発明の詳細な説明】
【技術分野】
【０００１】  この発明は、内視鏡の外面部分のうち特に操作部に設けられる湾曲操作部材等、複雑な外面形状を有する部分の洗浄を容易に行うことのできる内視鏡用洗浄具に関するものである。
【背景技術】
【０００２】  従来、細長管形状の挿入部を有して構成される内視鏡は、例えば医療分野や工業用分野等において広く利用されている。このうち、医療分野において用いられる医療用内視鏡は、挿入部を被検体、例えば生体の体腔内に挿入して臓器等を観察したり、必要に応じて当該臓器等に対し内視鏡に具備される処置具挿通チャンネル内に挿入した処置具を用いて各種の処置を施すことができるように構成されている。また、工業分野において用いられる工業用内視鏡は、挿入部を被検体、例えばジェットエンジンや工場配管等の装置若しくは機械設備等の内部に挿入して、当該被検体内の状態、例えば傷や腐蝕等の状態観察や検査等を行うことができるように構成されている。【０００３】  この種の内視鏡において、特に医療用内視鏡においては、使用するのに際して、常に清潔な状態が保持されている必要がある。したがって、リプロセス（reprocess；再利用）を考慮する場合、使用の都度、確実な洗浄処理が求められている。【０００４】  しかしながら、例えば内視鏡の操作部に設けられる湾曲操作部材等は、複雑な外形状を有していることから、その洗浄には、ウエスなどを用いて人力で行われており、手間や時間が非常にかかっていた。【０００５】  外形上の複雑な対象物を洗浄するための工夫としては、従来、例えば日本国特許公開２００４−２６２３７８号公報等による提案が見られる。【０００６】  上記日本国特許公開２００４−２６２３７８号公報等によって開示されている洗浄具は、車輌用ホイール等、奥行きのある形状で、複雑な意匠形状を有する車輌用ホイールを対象物とする洗浄具である。当該洗浄具は、車輌用ホイールの表面の全部又は一部に近似させた形状の弾性を有する洗浄部材を、ホイール表面の意匠形状に適合させて形成している。そして、当該洗浄具を、ホイール表面に対して主に円弧方向又は前後方向に作用させることによって、奥行きのある車輌用ホイールにおいて奥まった部位や複雑な形状の細部をもより簡易的に洗浄するというものである。【０００７】  ところが、上記日本国特許公開２００４−２６２３７８号公報等によって開示されている洗浄具は、車輌用ホイールを対象とするものである。一般に、車輌用ホイールは、そのホイール表面自体は平面的に形成されているのが普通である。【０００８】  これに対し、従来の一般的な構成の内視鏡の操作部における湾曲操作部材は、内視鏡操作部の外表面から外方に向けて突出する複雑な形状を有しているものである。したがって、上記日本国特開２００４−２６２３７８号公報等によって開示されている洗浄具の構成を、内視鏡用洗浄具として適用しても、確実な洗浄効果は期待できない。【０００９】  本発明は、上述した点に鑑みてなされたものであって、その目的とするところは、内視鏡をリプロセスするために当該内視鏡を洗浄する際、操作部等の突設部位、特に湾曲操作部材等を確実かつ簡単に洗浄することができ、よってユーザビリティ（usability；有用性，使い易さ，使い勝手）の向上に寄与することのできる内視鏡用洗浄具を提供することである。
【発明の開示】
【課題を解決するための手段】
【００１０】  上記目的を達成するために、本発明の一態様の内視鏡用洗浄具は、内視鏡に設けられた湾曲操作部材に外嵌可能な寸法に形成されている筒状の本体と、上記本体の内周面から径方向の内側に向けて突出するように配置された洗浄部材とを備えた。【００１１】  本発明によれば、内視鏡をリプロセスするために当該内視鏡を洗浄する際、操作部等の突設部位、特に湾曲操作部材等を確実かつ簡単に洗浄することができ、よってユーザビリティ（usability；有用性，使い易さ，使い勝手）の向上に寄与することのできる内視鏡用洗浄具を提供することができる。
【図面の簡単な説明】
【００１２】
【図１】本発明の一実施形態の内視鏡用洗浄具と、この内視鏡用洗浄具を用いて洗浄する内視鏡の一部を示す概略斜視図
【図２】本発明の一実施形態の内視鏡用洗浄具の縦断面図（図３の［２］−［２］線に沿う断面）
【図３】本発明の一実施形態の内視鏡用洗浄具の平面図（図１の矢印符号［３］方向から見た平面）
【図４】本発明の一実施形態の第１変形例の内視鏡用洗浄具の縦断面図（図５の［４］−［４］線に沿う断面）
【図５】図４の第１変形例の内視鏡用洗浄具の平面図
【図６】本発明の一実施形態の第１変形例の内視鏡用洗浄具の作用説明図
【図７】本発明の一実施形態の第２変形例の内視鏡用洗浄具を示す平面図
【図８】本発明の一実施形態の第３変形例の内視鏡用洗浄具の縦断面図（図９の［８］−［８］線に沿う断面）
【図９】図８の第３変形例の内視鏡用洗浄具の平面図
【図１０】本発明の一実施形態の第４変形例の内視鏡用洗浄具の縦断面図（図１１の［１０］−［１０］線に沿う断面）
【図１１】図１０の第４変形例の内視鏡用洗浄具の平面図
【図１２】本発明の一実施形態の第５変形例の内視鏡用洗浄具の縦断面図（図１３の［１２］−［１２］線に沿う断面）
【図１３】図１２の第５変形例の内視鏡用洗浄具の平面図
【発明を実施するための最良の形態】
【００１３】  以下、図示の実施の形態によって本発明を説明する。以下の説明に用いる各図面は模式的に示すものであり、各構成要素を図面上で認識可能な程度の大きさで示すために、各部材の寸法関係や縮尺等を各構成要素毎に異ならせて示している場合がある。したがって、本発明は、各図面に記載された各構成要素の数量や各構成要素の形状や各構成要素の大きさの比率や各構成要素の相対的な位置関係等に関して、図示の形態のみに限定されるものではない。【００１４】  ［一実施形態］  図１は、本発明の一実施形態の内視鏡用洗浄具と、この内視鏡用洗浄具を用いて洗浄する内視鏡の一部を示す概略斜視図である。【００１５】  まず、本実施形態の内視鏡用洗浄具を用いて洗浄する対象物となる内視鏡の概略構成を、図１を用いて以下に説明する。【００１６】  本実施形態の内視鏡用洗浄具を用いて洗浄する対象物である内視鏡の基本的な構成は、従来の一般的な形態の内視鏡と略同様である。したがって、以下の説明においては、内視鏡１における個々の構成の概略のみを説明する。【００１７】一実施形態（図１〜図３）  また、本実施形態の内視鏡用洗浄具によって洗浄される内視鏡における対象部位は、特に操作部の外面に設けられる湾曲操作部材と、その近傍部位である。したがって、図１においては、当該内視鏡の操作部近傍の構成のみを図示している。そして、以下の説明においては、内視鏡の操作部近傍部位の構成のみを主に説明する。なお、図示を省略した構成部分については、本発明に直接関連しない部分であるので、その説明も省略する。またさらに、図１においては、本実施形態の内視鏡用洗浄具は、その概略構成のみを図示している。なお、本実施形態の内視鏡用洗浄具の詳細な構成については、図２，図３を用いて後述する。【００１８】  図１に示すように、内視鏡１は、被検体の体腔内に挿入される挿入部１２と、この挿入部１２の長軸方向（挿入方向）の基端側に連設される操作部１３と、この操作部１３から延出されるユニバーサルコード１４等を備えて主に構成されている。【００１９】  上記挿入部１２は、先端と基端を有し、可撓性を有する細長の管形状に形成され、長手軸に沿って先端側から体腔内に挿入される管状部材である。この挿入部１２は、先端側から順に先端部（不図示），湾曲部（不図示），可撓管部(不図示)とを連接して構成されている。挿入部１２の内部には、複数の管路（処置具挿通チャンネル，送気送水用管路，吸引管路等）やライトガイド，信号ケーブル類等のほか、上記湾曲部（不図示）の湾曲操作を行う湾曲ケーブル等が挿通している。【００２０】  上記操作部１３は、上記挿入部１２の基端に連設され、操作者による操作入力を受け入れるための複数の操作部材等を外面に具備すると共に、内部に上記挿入部１２から延出する複数の管路（処置具挿通チャンネル，送気送水用管路，吸引管路等）やライトガイド，信号ケーブル類，湾曲ケーブル等が挿通配置されているほか、さらに、上記湾曲部（不図示）の湾曲操作を実現するための湾曲機構等を具備する構成部である。また、当該操作部１３の外面は、当該内視鏡１を使用する際に使用者が把持する把持部を兼ねるように構成されている。【００２１】  上記操作部１３の外面に設け��れる複数の操作部材としては、例えば送気送水ボタン３１と、吸引ボタン３２と、複数のリモートスイッチ３３と、複数の湾曲操作部材（３４，３５，３６，３７）等である。【００２２】  送気送水ボタン３１及び吸引ボタン３２は、挿入部１２（を挿通する送気送水管路，吸引管路）を介して被検体の体腔内に対して送気送水操作や吸引操作を行うための押圧式の操作部材である。【００２３】  複数のリモートスイッチ３３は、例えばフリーズ（画像停止）操作やレリーズ（静止画記録）操作等の画像制御指示や、測光方式の切り換え操作，プリント実行操作，拡大表示モードへの切り換え操作，ビデオ記録のスタート／ストップ操作等を行うための押圧式の操作部材である。【００２４】  上記複数の湾曲操作部材としては、左右湾曲操作ノブ３４と、上下湾曲操作ノブ３５と、左右湾曲固定ノブ３６と、上下湾曲固定レバー３７とがある。これら四つの操作部材は、同軸上において正逆回動自在となるように構成されている。【００２５】  このうち、左右湾曲操作ノブ３４と上下湾曲操作ノブ３５とは、回動操作することで湾曲部（不図示）を挿入部１２の挿入軸周りに左右（ＬＲ）方向と上下（ＵＤ）方向のそれぞれに湾曲させるための回転式の操作部材である。【００２６】  上記湾曲固定ノブ３６は、左右湾曲操作ノブ３４を操作した際に、所望の位置で当該左右湾曲操作ノブ３４を固定するための回転式操作部材である。また、上記湾曲固定レバー３７は、上下湾曲操作ノブ３５を操作した際に、所望の位置で当該上下湾曲操作ノブ３５を固定するための棒状操作部材である。【００２７】  したがって、上記操作部１３に設けられる複数の操作部材のうち左右湾曲操作ノブ３４と上下湾曲操作ノブ３５とをそれぞれ適宜別個に回動操作することによって、上記挿入部１２の湾曲部（不図示）を上下左右の４方向に湾曲させ得るように構成されている。【００２８】  さらに、上記操作部１３の先端寄りの部位には、上記挿入部１２の内部をその先端から基端側に挿通し当該操作部１３の内部に至る処置具挿通チャンネル（不図示）の基端が連設されている処置具挿入用開口３８が設けられている。【００２９】  ユニバーサルコード１４は、基端が操作部１３の側部から延出し、先端に光源装置（不図示）に対して着脱自在に接続される内視鏡コネクタ（不図示）を備え、かつ可撓性を有して形成されるコードである。このユニバーサルコード１４の内部には、上記挿入部１２から上記操作部１３の内部を挿通する複数の管路（送気送水用管路，吸引管路等）やライトガイド，信号ケーブル類等が挿通している。上記内視鏡１における操作部１３近傍部位の構成は以上である。【００３０】  本実施形態の内視鏡用洗浄具２は、上述のように構成された内視鏡１における操作部１３に設けられた複数の湾曲操作部材（３４，３５，３６，３７）を洗浄するための洗浄具である。なお、本実施形態で示す例では、湾曲固定レバー３７については、その一部を洗浄し得る形態となっている。【００３１】  次に、本実施形態の内視鏡用洗浄具２の詳細構成を以下に説明する。図２は、本実施形態の内視鏡用洗浄具の縦断面図である。この図２は、図３の［２］−［２］線に沿う断面を示している。また、図３は、本実施形態の内視鏡用洗浄具の平面図である。この図３は、図１の矢印符号［３］方向から見た際の平面を示している。【００３２】  図１〜図３に示すように、本実施形態の内視鏡用洗浄具２は、本体２１と、洗浄部材２２とによって主に構成されている。【００３３】  本体２１は、内視鏡１に設けられた複数の湾曲操作部材のうち左右湾曲操作ノブ３４と上下湾曲操作ノブ３５と左右湾曲固定ノブ３６とに外嵌可能な寸法に形成されている筒形状の中空部材である。本体２１を形成する素材としては、例えば樹脂成形品などが用いられる。【００３４】  本実施形態において例示する本体２１は、具体的には、例えば略円筒形状の中心軸Ａｘ（図２参照）に沿う方向における一端面が閉塞されて形成され、他端面は開口して形成されている。ここで、本体２１における上記一端面を閉塞面２１ａというものとする。また上記他端面の開口は、符号２１ｂで示すものとする（図２参照）。【００３５】  そして、本体２１の開口２１ｂの形成される他端面の外径は、閉塞面２１ａの外径よりも大となるように形成されている。つまり、本体２１は、開口２１ｂの形成される他端面から閉塞面２１ａの形成される一端面に向けて先細り形状（テーパ形状）に形成されている。【００３６】  上記開口２１ｂは、左右湾曲操作ノブ３４と上下湾曲操作ノブ３５と左右湾曲固定ノブ３６とに外嵌可能な寸法に形成されている。この場合において、開口２１ｂは、湾曲固定レバー３７の一部をもカバーするように形成されている。【００３７】  洗浄部材２２は、本体２１の内周面から径方向の内側に向けて突出するように配置されている。本実施形態において例示する上記洗浄部材２２は、上記本体２１の中心軸Ａｘ周りに沿って複数並設されている（図３参照）。【００３８】  また、上記洗浄部材２２は、上記本体２１の中心軸Ａｘ方向に沿って複数並設されている（図２，図３の符号２２ａ，２２ｂ，２２ｃ参照）。この場合において、中心軸Ａｘ方向に沿って複数並設されている洗浄部材２２のうち、閉塞面２１ａに近い側から順に、洗浄部材（Ａ）２２ａ，洗浄部材（Ｂ）２２ｂ，洗浄部材（Ｃ）２２ｃというものとする。そして、これら洗浄部材（Ａ）２２ａ，洗浄部材（Ｂ）２２ｂ，洗浄部材（Ｃ）２２ｃは、本体２１の内周面から径方向の内側に向けて突出する突出する突出量が異なるように形成されている。具体的には、例えば、図２，図３に示すように、洗浄部材（Ａ）２２ａの内側への突出量Ｌ１，洗浄部材（Ｂ）２２ｂの内側への突出量Ｌ２，洗浄部材（Ｃ）２２ｃの内側への突出量Ｌ３とするとき、Ｌ１＞Ｌ２＞Ｌ３となるように形成している。【００３９】  このように構成しているのは、当該内視鏡用洗浄具２を用いて洗浄する対象部位、即ち内視鏡１の左右湾曲操作ノブ３４，上下湾曲操作ノブ３５，左右湾曲固定ノブ３６の形状に合わせているためである。このような構成とすることにより、洗浄部材（Ａ）２２ａは主に左右湾曲固定ノブ３６を洗浄し、洗浄部材（Ｂ）２２ｂは主に左右湾曲操作ノブ３４を洗浄し、洗浄部材（Ｃ）２２ｃは主に上下湾曲操作ノブ３５を洗浄するのに適した形状となっている。【００４０】  上記洗浄部材２２は、可撓性を有し伸縮自在で柔軟な素材からなる部材、例えばポリウレタン等の合成樹脂を用いて形成されるスポンジ等が適用される。【００４１】  ［第１変形例］  なお、上記一実施形態の内視鏡用洗浄具２の構成に加えて、さらに、本体２１の閉塞された一端面（閉塞面２１ａ）の内面に異なる形状の第２の洗浄部材を設けた形態としてもよい。【００４２】  図４，図５は、上記一実施形態の第１変形例の内視鏡用洗浄具を示す図である。このうち図４は、上記一実施形態の図２に相当する縦断面図である（図５の［４］−［４］線に沿う断面）。図５は、上記一実施形態の図３に相当する平面図である。【００４３】  この第１変形例の内視鏡用洗浄具２Ａにおいては、上述の一実施形態の内視鏡用洗浄具２の構成に加えて、第２の洗浄部材２３を設けた点が異なるのみである。【００４４】  上記第２の洗浄部材２３は、本体２１の閉塞された一端面（閉塞面２１ａ）の内面に設けられ、当該閉塞面２１ａの内面から他端（即ち開口２１ｂ）に向けて突出するように配置されている。なお、本変形例で例示する上記第２の洗浄部材２３は、上記閉塞面２１ａの中心軸Ａｘ周りに円周方向に並べた複数の洗浄部材を、径方向に二列設けて構成している（図５参照）。【００４５】  上記第２の洗浄部材２３についても、上記洗浄部材２２と同様に、例えばポリウレタン等の合成樹脂を用いて形成されるスポンジ等が適用される。【００４６】  このように構成された上記一実施形態の第１変形例で例示する内視鏡用洗浄具２Ａを用いて、洗浄対象である内視鏡１の左右湾曲操作ノブ３４，上下湾曲操作ノブ３５，左右湾曲固定ノブ３６を洗浄する際の作用を以下に簡単に説明する。【００４７】  なお、内視鏡用洗浄具２Ａを用いて行なう洗浄は、例えば、洗浄機を用いて本格的に行う機械洗浄前の仮洗浄のほか、手動によって内視鏡を洗浄する際の所定の部位に対する詳細洗浄なども含まれる。【００４８】  図６は、上記一実施形態の第１変形例の内視鏡用洗浄具の作用を説明する図である。なお、図６は、第１変形例の図４に相当する縦断面図である。【００４９】  まず、内視鏡用洗浄具２Ａの洗浄部材２２に対して予め所定の洗剤等を付着させる。【００５０】  次に、使用者は、本体２１の外周面を手のひら等で掴み持ち、本体２１の開口２１ｂを、内視鏡１の所定の部位に外嵌させる。これにより、本体２１は、図６に示すように、左右湾曲操作ノブ３４，上下湾曲操作ノブ３５，左右湾曲固定ノブ３６を覆うように配設される。このとき、本体２１内では、洗浄部材２２が、上記各ノブ（３４，３５，３６）の外面によって適宜圧縮された状態になる。この状態で、使用者は、本体２１を外面から掴んだ状態で、図６の矢印符号Ｒ方向において正逆回転操作する。これにより、洗浄部材２２は、各ノブ（３４，３５，３６）の外表面に擦りつけられながら、当該外面の形状に従って変形し、当該外面に沿って周方向に移動して、当該外面を洗浄する。【００５１】  上記回転操作を行う際には、同時に、本体２１を図６の矢印符号Ｐ方向への押圧力を加えれば、各ノブ（３４，３５，３６）の外表面のうち、閉塞面２１ａに平行な面の洗浄を効果的に行うことができると共に、第２の洗浄部材２３を活用することができる。【００５２】  なお、本実施形態の内視鏡用洗浄具２は、一回���用した後は、そのまま廃棄するディスポーザブル（disposable；使い捨て可能）タイプとしてもよいし、再利用し得るタイプとしてもよい。【００５３】  以上説明したように上記一実施形態及び上記第１変形例によれば、内視鏡１における湾曲操作ノブ近傍の形状に合わせた形態の専用の内視鏡用洗浄具２を用意することで、複雑な形状の部位に対しても、簡単な操作を行なうのみで、当該所定の部位の洗浄を行うことができる。【００５４】  また、単純な構成であり、さらに一般的な素材（例えば、本体は樹脂成形品等、洗浄部材はスポンジ等）を利用することによって極めて低コストで製造することができ、よって、ディスポーザブルタイプの内視鏡用洗浄具とするにも効率的である。【００５５】  ［第２変形例］  なお、本発明の内視鏡用洗浄具の構成は、上述の一実施形態及びその第１変形例によって例示されている形態に限られることはない。【００５６】  例えば、図７は、上記一実施形態の第２変形例の内視鏡用洗浄具を示す平面図である。この図７は、上記一実施形態の図３に相当する平面図である。【００５７】  この図７に示す第２変形例の内視鏡用洗浄具２Ｂにおいては、洗浄部材２２における洗浄部材（Ａ）２２ａ，洗浄部材（Ｂ）２２ｂ，洗浄部材（Ｃ）２２ｃの配置を、上記一実施形態（及び第１変形例）とは異ならせて構成している。【００５８】  即ち、当該第２変形例においては、洗浄部材２２は、本体２１の内周面から径方向の内側に向けて突出するように配置されている点において、上記一実施形態（及び第１変形例）と同様である。【００５９】  本変形例においては、上記本体２１の中心軸Ａｘ周りに沿って複数並設されている洗浄部材（Ａ）２２ａ，洗浄部材（Ｂ）２２ｂ，洗浄部材（Ｃ）２２ｃのそれぞれが、中心軸Ａｘ方向において重ならないように、径方向にずらした位置に配置するように構成している。【００６０】  具体的には、例えば、図７に示すように、洗浄部材（Ａ）２２ａ，洗浄部材（Ｂ）２２ｂ，洗浄部材（Ｃ）２２ｃのそれぞれは、上記本体２１の中心軸Ａｘ周りに沿って複数並設されている。そして、洗浄部材（Ａ）２２ａの配置に対して、洗浄部材（Ｂ）２２ｂは、中心軸Ａｘ方向において重ならないように径方向にずらして配置されている。同様に、洗浄部材（Ｂ）２２ｂの配置に対して、洗浄部材（Ｃ）２２ｃは、中心軸Ａｘ方向において重ならないように径方向にずらして配置されている。【００６１】  その他の構成は上記第１変形例と略同様である。この第２変形例においても、洗浄部材２２としては、例えばスポンジを適用した例を示している。【００６２】  このように構成した上記第２変形例によっても、上述の一実施形態及び第１変形例と同様の効果を得ることができる。【００６３】  ［第３変形例］  また、例えば、図８，図９は、上記一実施形態の第３変形例の内視鏡用洗浄具を示す図である。このうち図８は、上記一実施形態の図２に相当する縦断面図である（図９の［８］−［８］線に沿う断面）。図９は、上記一実施形態の図３に相当する平面図である。【００６４】  第３変形例の内視鏡用洗浄具２Ｃにおいては、洗浄部材２２Ｃの形状を異ならせて構成している。【００６５】  即ち、当該第３変形例の洗浄部材２２Ｃは、本体２１の内周面から径方向の内側に向けて突出するように配置されている点においては、上記一実施形態及び上記各変形例と同様である。【００６６】  本変形例においては、洗浄部材２２Ｃは、径方向の内側に向けて突出する複数の洗浄部材は、上述の一実施形態及び各変形例で示す洗浄部材に比べて、それぞれが細長い形状に、かつより可撓性を有し、より柔軟に形成されている点が異なる。【００６７】  上記洗浄部材２２Ｃを構成する個々の洗浄部材は、本体２１の内周面から内側に向けて径方向に沿って突出するように設けられている。この場合において、当該複数の洗浄部材は、周方向に沿って所定の間隔を置いて並設され、かつ軸方向に沿っても所定の間隔を置いて並設されている。【００６８】  なお、本変形例の洗浄部材２２Ｃでは、図８に示すように、閉塞面２１ａ寄りに配設される洗浄部材２２Ｃの本体２１の内周面から径方向内側への突出量Ｌ４と、開口２１ｂ寄りに配設される洗浄部材２２Ｃの本体２１の内周面から径方向内側への突出量Ｌ５とするとき、Ｌ４＜Ｌ５となるように形成している。つまり、洗浄部材２２Ｃを構成する複数の洗浄部材のそれぞれの先端部から本体２１の中心軸Ａｘまでの距離が、全て略等しくなるように形成されている。【００６９】  その他の構成は上記第１変形例と略同様である。この第３変形例においても、洗浄部材２２Ｃとしては、例えばスポンジを適用した例を示している。【００７０】  このように構成した上記第３変形例によっても、上述の一実施形態及び第１変形例と同様の効果を得ることができる。【００７１】  なお、図示は省略しているが、上記洗浄部材２２Ｃを構成する複数の洗浄部材のそれぞれは、中心軸Ａｘ方向において重ならないように、径方向にずらした位置に配置するように構成した変形例も考えられる。【００７２】  ［第４変形例］  また、例えば、図１０，図１１は、上記一実施形態の第４変形例の内視鏡用洗浄具を示す図である。このうち図１０は、上記一実施形態の図２に相当する縦断面図である（図１１の［１０］−［１０］線に沿う断面）。図１１は、上記一実施形態の図３に相当する平面図である。【００７３】  第４変形例の内視鏡用洗浄具２Ｄにおいては、洗浄部材２２Ｄの形状をリング状に形成されたスポンジ等で構成した点が異なる。【００７４】  即ち、当該第４変形例の洗浄部材２２Ｄは、本体２１の内周面から径方向の内側に向けて突出するように、かつ周方向に沿って連続する形態のリング状に形成されている。【００７５】  その他の構成は上記第１変形例と略同様である。この第４変形例においても、洗浄部材２２Ｄとしては、例えばスポンジを適用した例を示している。【００７６】  このように構成した上記第４変形例によっても、上述の一実施形態及び第１変形例と同様の効果を得ることができる。【００７７】  ［第５変形例］  上述の一実施形態及び各変形例においては、洗浄部材としてスポンジを適用した例を示しているが、洗浄部材としては、これに限られることはない。例えば、洗浄部材として、複数の繊維質素材を密に植設して形成される複数のブラシを適用することもできる。【００７８】  図１２，図１３は、上記一実施形態の第５変形例の内視鏡用洗浄具を示す図である。このうち図１２は、上記一実施形態の図２に相当する縦断面図である（図１３の［１２］−［１２］線に沿う断面）。図１３は、上記一実施形態の図３に相当する平面図である。【００７９】  本変形例の内視鏡用洗浄具２Ｅにおいては、上述の第３変形例（図８，図９）のスポンジによって形成される洗浄部材２２Ｃに代えて、複数のブラシによって形成される洗浄部材２２Ｅを、上述の第３変形例（図８，図９）と略同形態に構成した例を示している。【００８０】  本変形例における洗浄部材２２Ｅは、本体２１の内周面から径方向の内側に向けて突出するように、複数の繊維質素材を密に植設した形態のブラシを複数設けて形成している。【００８１】  即ち、本変形例の内視鏡用洗浄具２Ｅにおいて、上記洗浄部材２２Ｅは、所定数の繊維質素材を密に植設して一束としたブラシ束を、周方向に所定の間隔を置いて複数並設すると共に、軸方向に沿っても所定の間隔を置いて並設して構成したものである。その他の構成は上記第１変形例と略同様である。【００８２】  このように構成した上記第５変形例によっても、上述の一実施形態及び第１変形例と同様の効果を得ることができる。【００８３】  本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題が解決でき、発明の効果が得られる場合には、この構成要件が削除された構成が発明として抽出され得る。さらに、異なる実施形態にわたる構成要素を適宜組み合わせてもよい。この発明は、添付のクレームによって限定される以外にはそれの特定の実施態様によって制約されない。【００８４】  本出願は、２０１６年１０月１１日に日本国に出願された特許出願２０１６−２００２６４号を優先権主張の基礎として出願するものである。【００８５】  上記基礎出願により開示された内容は、本願の明細書と請求の範囲と図面に引用されているものである。
【産業上の利用可能性】
【００８６】  本発明は、医療分野の内視鏡制御装置だけでなく、工業分野の内視鏡制御装置にも適用することができる。
【図１】
2018070104.tif 000003
【図２】
2018070104.tif 000004
【図３】
2018070104.tif 000005
【図４】
2018070104.tif 000006
【図５】
2018070104.tif 000007
【図６】
2018070104.tif 000008
【図７】
2018070104.tif 000009
【図８】
2018070104.tif 000010
【図９】
2018070104.tif 000011
【図１０】
2018070104.tif 000012
【図１１】
2018070104.tif 000013
【図１２】
2018070104.tif 000014
【図１３】
2018070104.tif 000015
【手続補正書】
【提出日】平成30年3月20日(2018.3.20)
【手続補正１】
【補正対象書類名】特許請求の範囲
【補正対象項目名】全文
【補正方法】変更
【補正の内容】
【特許請求の範囲】
【請求項１】
内視鏡に設けられた湾曲操作部材に外嵌可能な寸法に形成されている筒状の本体と、
上記本体の内周面から径方向の内側に向けて突出するように配置された洗浄部材と、
を備えたことを特徴とする内視鏡用洗浄具。
【請求項２】
上記洗浄部材は、上記本体の中心軸周りに沿って複数並設されていることを特徴とする請求項１に記載の内視鏡用洗浄具。
【請求項３】
上記洗浄部材は、上記本体の軸方向に沿って複数並設されていることを特徴とする請求項１に記載の内視鏡用洗浄具。
【請求項４】
上記洗浄部材は、複数のブラシにより形成されていることを特徴とする請求項１に記載の内視鏡用洗浄具。
【請求項５】
上記洗浄部材は、複数のスポンジにより形成されていることを特徴とする請求項１に記載の内視鏡用洗浄具。
【請求項６】
上記洗浄部材は、上記本体の径方向に沿って突出していることを特徴とする請求項１に記載の内視鏡用洗浄具。
【請求項７】
上記洗浄部材は、リング状に形成されたスポンジであることを特徴とする請求項１に記載の内視鏡用洗浄具。
【請求項８】
上記本体は、軸方向の一端面が閉塞されていることを特徴とする請求項１に記載の内視鏡用洗浄具。
【請求項９】
上記本体において閉塞された一端面の内面には、他端に向けて突出するように配置されている第２の洗浄部材を、さらに具備することを特徴とする請求項８に記載の内視鏡用洗浄具。
【請求項１０】
上記複数の洗浄部材は、上記本体の内周面から径方向の内側に向けて突出する突出量がそれぞれ異なるように形成されていることを特徴とする請求項３に記載の内視鏡用洗浄具。
【請求項１１】
上記本体は、上記軸方向の他端面が開口して形成され、上記他端面の外径は上記一端面の外径よりも大きく形成されていることを特徴とする請求項８に記載の内視鏡用洗浄具。
【国際調査報告】
2018070104.tif 000016
2018070104.tif 000017
2018070104.tif 000018